(57)【特許請求の範囲】
【請求項１】
複数の水室を有する水槽本体の内部に、夫々ポンプを水槽本体の外に引き出し可能に収納した複数の収納筒を平行に横置、固定し、上記複数の収容筒中の複数のポンプの運転を制御して水槽本体内の水を槽外に送水する複槽式受水槽の送水装置において、上記水槽本体の全部の水室の内部に位置する両端が閉じた一連の吸水主管を水槽本体の内部に布設し、各水室には水槽本体の外からの操作でその水室の内部と連通、遮断できる開閉弁を１つ宛設け、この各開閉弁と前記吸水主管を枝管で接続すると共に、前記各収容筒と吸水主管との間を吸水管で接続し、各吸水管には水槽本体の外から開閉操作可能な導入弁を設けたことを特徴とする複槽式受水槽の送水装置。
【発明の詳細な説明】
【０００１】
【発明の属する技術分野】
この発明は、高置水槽に揚水したり、自動給水制御方式で蛇口、シャワー等に直接、給水するための水を貯える複槽式受水槽の送水装置に関する。
【０００２】
【従来の技術】
図３に示すように水槽本体１０の内部を仕切壁１０′で複数の水室（図３ａでは２つの水室Ａ，Ｂ、図３ｂでは３つの水室Ａ，Ｂ，Ｃ）に仕切り、その複数の水室の１つ（Ａ）内の底部に、夫々ポンプＰ1 ，Ｐ2 を水槽本体の外に前端から引き出し可能に収容した複数（２つ）の収容筒１１，１１を平行に設置し、上記複数の収容筒中のポンプＰ1 ，Ｐ2 の運転を自動単独交互方式、或いは自動並列交互方式で制御して水槽本体（水室Ａ，Ｂ、又はＡ，Ｂ，Ｃ）内の水を槽外に送水することは従来から公知である。
【０００３】
上記ポンプＰ1 ，Ｐ2 は、周知のようにポンプ部が前、モータ部が後、その中間に吸水口を有する一連の棒形水中ポンプで、上記水中ポンプを円周方向に離して設けた複数のスペーサで同心状に収容する各収容筒は水槽の水室Ａの側壁の下部に設けられた開口の回りの側壁の内面に前端の鍔１２を固定され、後端部を槽底の受台で支持されて水室Ａの底部に水平に横置、固定される。各水中ポンプは前端から突出する吐出筒１３に上記側壁の開口を外から塞ぐ蓋１４を鍔状に有し、この蓋を前記開口の回りの側壁の外面に取外し可能に取付け、ポンプのメンテナンスの際は、この蓋を外し、吐出筒の前端に上向きのエルボ１５で連結した共通の送水管１６を外し、水中ポンプを蓋１４ごと収容筒１１の内部から側壁の開口を通じ外に引き出す。上記した構成、作用は本特許出願人の特開平４−２６７７８７号公報に詳述されているので、それを参照されたい。
【０００４】
前述した従来の公知の送水装置は、仕切壁で仕切られた各水室（Ａ，Ｂ，Ｃ）の１つ宛の下部に、水槽本体の外からの操作でその水室の内部と連通、遮断できる開閉弁Ｖ1 をポンプＰ1 ，Ｐ2 の数だけ設け（Ｖ1 −Ａ，Ｖ2 −Ａ、Ｖ1 −Ｂ，Ｖ2 −Ｂ、Ｖ1 −Ｃ，Ｖ2 −Ｃ）、図３（ａ）の場合は、ポンプＰ1 の収容筒１１の後端に取付けた二股の連絡管１７−１を水室Ａの開閉弁Ｖ1 −Ａと、水室Ｂの開閉弁Ｖ1 −Ｂとに接続し、ポンプＰ2 の収容筒１１の後端に取付けた二股の連絡管１７−２を水室Ａの開閉弁Ｖ2 −Ａと、水室Ｂの開閉弁Ｖ2 −Ｂとに接続する。また、図３（ｂ）の場合は、ポンプＰ1 の収容筒１１の後端に取付けた三股の連絡管１７−１を水室Ａの開閉弁Ｖ1 −Ａと、水室Ｂの開閉弁Ｖ1 −Ｂと、水室Ｃの開閉弁Ｖ1 −Ｃとに接続し、ポンプＰ2 の収容筒１１の後端に取付けた三股の連絡管１７−２を水室Ａの開閉弁Ｖ2 −Ａと、水室Ｂの開閉弁Ｖ2 −Ｂと、水室Ｃの開閉弁Ｖ2 −Ｃとに接続する。尚、開閉弁は通常の開閉バルブでもよいが、その一例の構成、及び作用、効果は前述の特開公報や実公平５−２９４２０号公報に図解されているので、それを参照されたい。
【０００５】
これによって、水室Ａを清掃するときは開閉弁Ｖ1 −Ａ，Ｖ2 −Ａを閉じて水室Ａ内の水がポンプＰ1 ，Ｐ2 の収容筒１１，１１に入らないようにし、水室Ａの底のドレンを開いて室内の水を外に排出し、水室Ａの内部を洗浄する。その間はポンプＰ1 ，Ｐ2 を前述のように制御して運転し、水室Ｂ，水室Ｂの他に水室Ｃがあるときは水室Ｂ，Ｃの水を開閉弁Ｖ1 −Ｂ，Ｖ2 −ＢやＶ1 −Ｃ，Ｖ2 −Ｃで吸入して送水する。こうして、各水室に設けてある各ポンプＰ1 ，Ｐ2 用の２つの開閉弁Ｖ1 ，Ｖ2 を順番に閉じることにより、全部の水室を順番に清掃することができる。又、１つの水室の清掃が終わったら、その水室のドレンを閉じ、閉じてあった２つの開閉弁を開にすることにより他の水室から水を補給すると共に、全部の水室の低下した水位をレベルスイッチで検出して外からも共通の給水管で水を補給し、全部の水室の水位を元通りに回復させる。
【０００６】
又、ポンプＰ1 のメンテナンスを行うためにポンプを収容筒１１の外に引き出すには、各水室に設けられたポンプＰ1 用の開閉弁Ｖ1 −Ａ，Ｖ1 −Ｂ，Ｖ1 −Ｃを閉じてポンプＰ1 の収容筒１１内に各水室内の水が流入しないようにし、そのポンプの鍔状の蓋１４にあるドレンを開いて収容筒１１内の水を外に排出し、それから前述したようにエルボ１５、蓋１４を外し、蓋ごとポンプを収容筒の外に引き出し、保守、点検、修理を行う。メンテナンスが終わったら上記操作を逆に行ってポンプを収容筒内に収め、蓋１４を側壁の開口の回りの外面に取外し可能に取付け、送水管１６をエルボ１５に連結し、閉じた開閉弁Ｖ1 −Ａ，Ｖ1 −Ｂ，Ｖ1 −Ｃを開いて収容筒に各水室の水を導入する。こうして各ポンプのために全部の水室に設けた開閉弁を閉じ、そのポンプを収容した収容筒内の水を外に排出し、ポンプを収容筒から外に引き出し、メンテナンスを行うことができる。
【０００７】
【発明が解決しようとする課題】
上述したように複数の水室の１つを清掃するにはポンプの数と同数の開閉弁を操作しなければならず、又、複数のポンプの１つをメンテナンスする際は水室の数と同数の開閉弁を操作しなければならないので手数がかゝる。更に、各ポンプを収容した収容筒の後端に、水室が２つある場合は二股の連絡管を、水室が３つある場合は三股の連絡管を夫々取付け、ポンプの数に対応して各水室に設けた開閉弁に接続しなければならないので、各水室の底の上には連絡管が錯綜し、水室の洗浄の際に足で踏まないようにしなければならないので清掃が行いにくいと共に、底の洗浄の邪魔になる。その上、各連絡管を夫々水室を仕切る仕切壁にシールして貫通させねばならず、貫通させる個所の数が多いと共に、複数の連絡管を１７′の位置で立体交叉させる必要もあるため、配管工事が面倒で、非常に手数がかゝる。
【０００８】
【課題を解決するための手段】
本発明は上述した問題点を解消するために開発されたもので、複数の水室を有する水槽本体の内部に、夫々ポンプを水槽本体の外に引き出し可能に収納した複数の収納筒を平行に横置、固定し、上記複数の収容筒中の複数のポンプの運転を制御して水槽本体内の水を槽外に送水する複槽式受水槽の送水装置において、上記水槽本体の全部の水室の内部に位置する両端が閉じた一連の吸水主管を水槽本体の内部に布設し、各水室には水槽本体の外からの操作でその水室の内部と連通、遮断できる開閉弁を１つ宛設け、この各開閉弁と前記吸水主管を枝管で接続すると共に、前記各収容筒と吸水主管との間を吸水管で接続し、各吸水管には水槽本体の外から開閉操作可能な導入弁を設けたことを特徴とする。
【０００９】
【発明の実施の形態】
図１，２に示した本発明の実施形態において、前述の図３と同等の構成要素には同じ符号を付して説明を省略する。
【００１０】
２１は両端が閉じた吸水主管で、水槽本体の内部を仕切る全部の仕切壁１０′の下部をシールして貫通し、図１（ａ）では２つの水室Ａ，Ｂ内に、図１（ｂ）では３つの水室Ａ，Ｂ，Ｃ内に位置する。
【００１１】
各水室の下部には水槽本体の外からの操作でその水室の内部と連通、遮断できる前述の開閉弁Ｖ1を１つ宛設け（Ｖ1−Ａ，Ｖ1−Ｂ，Ｖ1−Ｃ）、この各開閉弁を枝管２２により上記吸水主管２１の各室内に位置する部分に接続する。
【００１２】
そして、複数の水室の１つ、例えばＡ室には複数の棒形水中ポンプＰ1 ，Ｐ2 を水槽本体の外に引き出し可能に個々に収容した複数の収容筒１１，１１を底の上に平行に横置、固定し、上記吸水主管２１のＡ室内に位置する部分と各収容筒１１，１１を吸水管２３，２３で接続する。
【００１３】
この各吸水管２３，２３には水槽本体の外から開閉操作可能な導入弁３０を設ける。この導入弁３０は吸水管の途中に設けることに限られず、吸水管と接続する収容筒の端部に設け、図２に示すように、吸水管２３は導入弁３０を介して収容筒１１と接続するようにしてもよい。
【００１４】
図２に例示した導入弁３０は収容筒１１の前端の鍔１２とは反対の後端を塞ぐ後壁１１′に設けてある。上記後壁１１′は収容筒の直径とほゞ同じ幅で水槽の底に固定されて起立し、上部は収容筒の上半部に一致した半円形になっていて収容筒の後端を塞ぐと同時に、収容筒の後端を水槽の底から上に離して収容筒を水槽の底の上に横置、固定する受台を兼ねている。後壁１１′は、収容筒１１の内部に同心状に収容したポンプの中心からそれた偏心位置に円筒形の弁筒３１の前端を固定すると共に、後壁の上記弁筒で囲まれた部分には弁筒の中心から偏心して導入口３２を開設してある。弁筒３１は後端に該筒よりも直径が少し小さい弁座３３を同心状に備え、弁筒３１内で進退する弁板３４の後退により弁座３３は閉じられる。弁筒３１は弁座３３の後方に連結筒部３５を有する。
【００１５】
弁板３４を弁筒３１内で進退させて弁座３３を開閉するため、収容筒内には操作ロッド３６が収容筒の内周とポンプの外周との間の隙間を通り、後部は収容筒の後壁１１′の、弁筒３１の中心に対応した位置を貫通して弁筒内に突入して弁板３４を後端に固定し、前部はポンプの吐出筒に鍔状に設けられた蓋１４をシールして貫通し、蓋１４から外に突出した前端部の角軸部にはハンドル３７を取外し可能に取付けている。尚、吐出筒の後壁を貫通する操作ロッドの後部には雄ねじ３８が形成され、後壁に設けた雌ねじ孔にねじ係合している。
【００１６】
従って、操作ロッドの雄ねじ３８と、後壁の雌ねじ孔によるねじ係合作用で、ハンドル３７の一方向の回転で操作ロッドは弁板３４を伴って後退して弁座３３を閉じ（図２破線参照）、ハンドルを逆方向に回転すると操作ロッドは弁板３４を伴って前進し、弁板は弁座から前に離れて弁座３３を開く（図２実線参照）。又、メンテナンスのためにポンプを収容筒の前端から外に引き出すために蓋１４を水槽本体の開口の回りから外す際はハンドル３７が邪魔になるので操作ロッド３６の前端部からハンドルを取外し（図２破線参照）、メンテナンスが終わってポンプを収容筒中に挿入し、操作ロッドの前端部を蓋１４のシール孔に通して蓋を開口の回りに固定したら、操作ロッドの前端部に再びハンドルを取付ける（図２実線参照）。
【００１７】
そして、吸水主管２１に一端を接続した各吸水管２３の他端を、収容筒の後端に取付けた導入弁３０の弁筒３１の後端から突出する連結筒部３５に接続する。
【００１８】
水室Ａ，Ｂ，Ｃの１つを清掃するときは、従来はその室に設けられている複数のポンプに対応した複数の開閉弁を閉じねばならなかったが、本発明ではその室に設けられた１つの開閉弁を閉じるだけで、他の室の水はその室に流入しない。従って、ポンプは複数であるが、室を清掃するために操作する開閉弁の数は、１つでよいので手数がかゝらない。
【００１９】
又、ポンプのメンテナンスのため収容筒の蓋１４を外して収容筒の前端から外に引き出す際は、従来はその収容筒に連結した二股や、三股の連結管に接続したポンプの数と同数の開閉弁を閉じ、その収容筒中に各室から水が入らないようにすることが必要であったが、本発明ではその収容筒の吸水管に接続した１つの導入弁３０を閉じるだけでよい。従って、室の数は複数であるが、１つの導入弁を開閉するだけでポンプのメンテナンスが行え、手数がかゝらない。
【００２０】
図１の実施形態ではポンプＰ1 ，Ｐ2 を収容した複数の収容筒は１つの水室Ａの底部に設置したが、１つの水室内に設置することに限定されず、別々の水室に設置してもよい。
【００２１】
【発明の効果】
以上で明らかなように、本発明によれば水槽本体が複数の水室を有し、複数のポンプによって送水するようになっていても、１つの水室を清掃するために操作する開閉弁は１つでよいと共に、ポンプの１つをメンテナンスするために操作する導入弁も１つでよいため、水室の清掃、ポンプのメンテナンスに手数がかゝらない。
【００２２】
更に、水槽本体を複数の水室に区劃する仕切壁を貫通するのは吸水主管だけであるから、仕切壁をシールして貫通させる数は仕切壁の数だけで、従来に較べて減少すると共に、配管を立体交叉させる必要がないので配管工事を容易に行える。しかも、吸水主管、枝管、吸水管は水室の底に整然と配列しているので水室の清掃、底の洗浄の邪魔にならず、清掃、洗浄も容易に行える。
【図面の簡単な説明】
【図１】（ａ）は二槽式受水槽、（ｂ）は三槽式受水槽に夫々実施した本発明の送水装置の概略説明図。
【図２】ポンプの収容筒と導入弁を示す断面図。
【図３】（ａ）は従来の二槽式受水槽、（ｂ）は従来の三槽式受水槽の送水装置の概略説明図。
【符号の説明】
１０    水槽本体
１０′  水槽本体の仕切壁
Ａ，Ｂ，Ｃ  水室
Ｖ1   開閉弁
Ｐ1 ，Ｐ2   ポンプ
１１  ポンプの収容筒
２１  吸水主管
２２  枝管
２３  吸水管
３０  導入弁
【図１】
0004188495.tif 000002
【図２】
0004188495.tif 000003
【図３】
0004188495.tif 000004